(57)【要約】【課題】  油圧エレベータ内の油漏れの状況を詳細に把握して保守員に報知することが検出可能な、油漏れ検出システム、油漏れ検出装置、および油漏れ検出方法を提供する。【解決手段】  実施形態によれば油漏れ検出システムは、カメラ装置と、油漏れ検出装置とを備える。カメラ装置は、油圧エレベータ内の油漏れ検出対象箇所を撮影する。油漏れ検出装置は、カメラ装置で撮影された撮像情報を解析することにより、油漏れ検出対象箇所の油漏れ状態を監視し、当該油漏れ検出対象箇所で油漏れが発生したと判断すると、第１の報知情報を出力する。【選択図】図３
2019156503.tif 000002
【特許請求の範囲】
【請求項１】
油圧エレベータ内の油漏れ検出対象箇所を撮影するカメラ装置と、
前記カメラ装置で撮影された撮像情報を解析することにより、前記油漏れ検出対象箇所の油漏れ状態を監視し、前記油漏れ検出対象箇所で油漏れが発生したと判断すると、第１の報知情報を出力する油漏れ検出装置と
を備えることを特徴とする油漏れ検出システム。
【請求項２】
前記カメラ装置は、前記油漏れ検出対象箇所の下位置に設置された受け皿内を含めて撮影し、
前記油漏れ検出装置は、前記カメラ装置で撮影された撮像情報を解析することにより、前記受け皿に油が溜まり始めたと判断すると、第２の報知情報を出力する
ことを特徴とする請求項１に記載の油漏れ検出システム。
【請求項３】
前記油漏れ検出装置は、前記カメラ装置で撮影された撮像情報を解析することにより、前記受け皿に所定量の油が溜まったと判断すると、第３の報知情報を出力する
ことを特徴とする請求項２に記載の油漏れ検出システム。
【請求項４】
前記油漏れ検出装置は、前記受け皿に油が溜まり始めてから前記所定量が溜まるまでの時間が所定時間よりも短いと判断すると、第４の報知情報を出力する
ことを特徴とする請求項３に記載の油漏れ検出システム。
【請求項５】
前記油漏れ検出装置は、前記カメラ装置で撮影された撮像情報を解析することにより、前記受け皿に溜まった油が廃棄されたと判断すると、廃棄直前の撮像情報の解析結果に基づいて当該廃棄による廃棄油量の推定値を算出して保存し、保存した廃棄油量の累計値が所定値を超えると、第５の報知情報を出力する
ことを特徴とする請求項２〜４いずれか１項に記載の油漏れ検出システム。
【請求項６】
前記カメラ装置は複数台設置され、
前記油漏れ検出装置は、前記複数台のカメラ装置で撮影された撮像情報を解析することにより、前記油漏れ検出対象箇所の油漏れ状態を監視する
ことを特徴とする請求項１〜５いずれか１項に記載の油漏れ検出システム。
【請求項７】
前記油漏れ検出対象箇所は、前記油圧エレベータを動作させるための圧力油を生成する油圧ポンプ内の回転軸と油圧ポンプ本体との接合部分である
ことを特徴とする請求項１〜６いずれか１項に記載の油漏れ検出システム。
【請求項８】
前記カメラ装置は、前記油圧エレベータを動作させるための圧力油を生成する油圧ポンプ内の回転軸を回転させるために用いるチェーンを含めて撮影し、
前記油漏れ検出装置は、前記カメラ装置で撮影された撮像情報を解析することにより、前記チェーンの潤滑油が不足していると判断すると、第６の報知情報を出力する
ことを特徴とする請求項１〜７いずれか１項に記載の油漏れ検出システム。
【発明の詳細な説明】
【技術分野】
【０００１】
本発明の実施形態は、油圧エレベータ内の油漏れ検出システムに関する。
【背景技術】
【０００２】
一般的に利用されている油圧エレベータは、機械室に設置された油圧パワーユニットと昇降路に設置された油圧ジャッキとが油圧配管で連結されて構成されている。そして、油圧パワーユニットにおいて、電動機で油圧ポンプの回転運動を駆動して圧力油を発生させ、これを油圧ジャッキのシリンダに送りプランジャを押し上げることで、連結している乗りかごを上昇させる。また、シリンダ内の油を油圧ポンプに戻すことにより、乗りかごを降下させる。
【０００３】
このように構成された油圧エレベータでは、油圧ポンプ本体とその回転軸との隙間から油漏れが発生しやすいため、当該箇所にメカニカルシールを施して油漏れを防止している。しかし、このような対策をしてもなお、その構造上、回転軸の摺動面から油がにじみ出ることがある。そこで、油圧ポンプの下部に受け皿を設けてにじみ出た油を溜めておき、保守員が定期点検時に廃棄処理を行うことで、外部に油が流出することを防止するようにしている。
【先行技術文献】
【特許文献】
【０００４】
【特許文献１】特開平１０−２０３７５６号公報
【発明の概要】
【発明が解決しようとする課題】
【０００５】
しかし、上述したような油漏れの廃棄処理では、漏れる油の量が多くなった場合に、保守員が次の定期点検までこれを認識することができず、油が受け皿の収容量を超過して外部に流出してしまい、油漏れに対する十分な対策がとれないことがあるという問題があった。
【０００６】
本発明は上記事情に鑑みてなされたものであり、油圧エレベータ内の油漏れの状況を詳細に把握して保守員に報知することが可能な、油漏れ検出システムの提供を目的とする。
【課題を解決するための手段】
【０００７】
上記目的を達成するための実施形態によれば油漏れ検出システムは、カメラ装置と、油漏れ検出装置とを備える。カメラ装置は、油圧エレベータ内の油漏れ検出対象箇所を撮影する。油漏れ検出装置は、カメラ装置で撮影された撮像情報を解析することにより、油漏れ検出対象箇所の油漏れ状態を監視し、当該油漏れ検出対象箇所で油漏れが発生したと判断すると、第１の報知情報を出力する。
【図面の簡単な説明】
【０００８】
【図１】一実施形態による油漏れ検出システムが搭載された油圧エレベータの構成を示す全体図。
【図２】一実施形態による油漏れ検出システムが搭載された油圧エレベータの油圧ポンプを示す側面図。
【図３】一実施形態による油漏れ検出システムの構成を示す説明図。
【図４】一実施形態による油漏れ検出システムに用いる油漏れ検出装置の動作を示すフローチャート。
【発明を実施するための形態】
【０００９】
〈一実施形態による油漏れ検出システムを搭載する油圧エレベータの構成〉
本発明の一実施形態による油漏れ検出システムを搭載する油圧エレベータの構成について、図１を参照して説明する。本実施形態による油圧エレベータ１は、建物内の機械室２に設置された油圧パワーユニット２１およびエレベータ制御装置２２と、昇降路３に設置された油圧ジャッキ３１および乗りかご３２と、油圧パワーユニット２１と油圧ジャッキ３１とを連結する油圧配管４とを備える。油圧パワーユニット２１は、油圧ポンプ２１１と電動機２１２とを有する。
【００１０】
エレベータ制御装置２２は、油圧パワーユニット２１の動作を制御することで乗りかご３２を昇降させる。また、エレベータ制御装置２２は、外部の監視センタ等に設置される監視装置６に接続されている。
【００１１】
油圧ジャッキ３１は、乗りかご３２に連結されたプランジャ３１１と、プランジャ３１１を上下させるシリンダ３１２とを有する。シリンダ３１２は、油圧ポンプ２１１から油圧配管４を介して送られた圧力油により動作する。
【００１２】
図２に、油圧ポンプ２１１の側面図を示す。油圧ポンプ２１１は、油圧ポンプ本体２１１ａと、油圧ポンプ本体２１１ａに接続された回転軸２１１ｂと、電動機２１２の動力で回転軸２１１ｂを回転させるプーリー２１１ｃとにより構成される。そして、回転軸２１１ｂの回転動作で油圧ポンプ本体２１１ａ内の油に圧力を加えて圧力油を生成し、油圧配管４を介して油圧ジャッキ３１に送る。油圧ポンプ本体２１１ａと回転軸２１１ｂとの接合部分の下位置には、受け皿２１１ｄが設置されている。
【００１３】
油圧ポンプ２１１内で発生する油漏れを検出する油漏れ検出システム５の構成について、図３を参照して説明する。油漏れ検出システム５は、カメラ装置５１と、油漏れ検出装置５２とを備える。カメラ装置５１は、油圧ポンプ２１１の横側に設置され、油漏れ検出対象箇所である油圧ポンプ本体２１１ａと回転軸２１１ｂとの接合部分、および受け皿２１１ｄ内を撮影する。
【００１４】
油漏れ検出装置５２は、撮像情報取得部５２１と、画像解析部５２２と、油漏れ状態監視部５２３と、報知情報生成部５２４と、出力部５２５とを有する。撮像情報取得部５２１は、カメラ装置５１から撮像情報を取得する。画像解析部５２２は、撮像情報取得部５２１で取得された撮像情報を解析する。油漏れ状態監視部５２３は、画像解析部５２２による撮像情報の解析結果に基づいて、油圧ポンプ本体２１１ａと回転軸２１１ｂとの接合部分の油漏れ状態、および受け皿２１１ｄへの油の溜り具合を監視する。また油漏れ状態監視部５２３は、受け皿２１１ｄに溜まった油が廃棄されたと判断すると、当該廃棄による廃棄油量の推定値を算出して保存し、保存した廃棄油量の累計値を監視する。
【００１５】
報知情報生成部５２４は、油漏れ状態監視部５２３において油圧ポンプ本体２１１ａと回転軸２１１ｂとの接合部分で油漏れが発生したと判断されると、第１の報知情報を生成する。また。油漏れ状態監視部５２３において受け皿２１１ｄに油が溜まり始めたと判断されると、第２の報知情報を生成する。また、油漏れ状態監視部５２３において受け皿２１１ｄに所定量の油が溜まったと判断されると、第３の報知情報を生成する。また、油漏れ状態監視部５２３において受け皿２１１ｄに油が溜まり始めてから所定量が溜まるまでの時間が所定時間よりも短いと判断されると、第４の報知情報を生成する。また、油漏れ状態監視部５２３において保存した廃棄油量の累計値が所定値を超えたと判断されると、第５の報知情報を生成する。出力部５２５は、報知情報生成部５２４で生成された報知情報を、エレベータ制御装置２２を介して監視装置６に出力する。
【００１６】
〈一実施形態による油漏れ検出システムの動作〉
次に、本実施形態による油漏れ検出システム５の動作について説明する。本実施形態において、油漏れ検出システム５の稼動中は所定時間間隔で、カメラ装置５１により油圧ポンプ本体２１１ａと回転軸２１１ｂとの接合部分、および受け皿２１１ｄ内が撮影され、その撮像情報が油漏れ検出装置５２に送信される。送信された撮像情報は、油漏れ検出装置５２の撮像情報取得部５２１で取得される。油漏れ検出装置５２において、撮像情報が取得される都度実行される処理について、図４のフローチャートを参照して説明する。
【００１７】
撮像情報取得部５２１で取得された撮像情報は画像解析部５２２に送出され、油圧ポンプ本体２１１ａと回転軸２１１ｂの接合部分付近の輝度情報に変化が生じたか否かが解析される。この解析結果は、油漏れ状態監視部５２３に送出される。油漏れ状態監視部５２３では、撮像情報の解析結果に基づいて油漏れ状態が監視され、油圧ポンプ本体２１１ａと回転軸２１１ｂとの接合部分の輝度情報に所定以上の変化があった場合には、油漏れが発生したと判断される。そして、油圧ポンプ本体２１１ａと回転軸２１１ｂとの接合部分からの油漏れが発生したと判断されると（Ｓ１の「YES」）、報知情報生成部５２４により第１の報知情報が生成され、出力部５２５からエレベータ制御装置２２に出力され、さらに監視装置６に送信される（Ｓ２）。第１の報知情報には、油圧ポンプ本体２１１ａと回転軸２１１ｂとの接合部分から油が漏れ始めたことを報知するための情報が含まれる。
【００１８】
その後、当該撮像情報の解析結果に基づいて、受け皿２１１ｄに油が溜まり始めたか否かが油漏れ状態監視部５２３で監視される。そして、油圧ポンプ本体２１１ａと回転軸２１１ｂとの接合部分から漏れた油が受け皿２１１ｄ内に落ちて油が溜まり始めたと判断されると（Ｓ３の「YES」）、報知情報生成部５２４により第２の報知情報が生成され、出力部５２５からエレベータ制御装置２２に出力され、さらに監視装置６に送信される（Ｓ４）。第２の報知情報には、受け皿２１１ｄに油が溜まり始めたことを報知するための情報が含まれる。
【００１９】
その後、当該撮像情報の解析結果に基づいて、受け皿２１１ｄに所定量の油が溜まったか否かが油漏れ状態監視部５２３で監視される。そして、受け皿２１１ｄに所定量の油が溜まったと判断されると（Ｓ５の「YES」）、報知情報生成部５２４により第３の報知情報が生成され、出力部５２５からエレベータ制御装置２２に出力され、さらに監視装置６に送信される（Ｓ６）。第３の報知情報には、受け皿２１１ｄに溜まった油を廃棄することを促すための情報が含まれる。
【００２０】
ここで、油漏れ状態監視部５２３により、受け皿２１１ｄに油が溜まり始めてから所定量溜まるまでの時間が所定時間よりも短いか否かが判断される（Ｓ７）。判断の結果、受け皿２１１ｄに油が溜まり始めてから所定量溜まるまでの時間が所定時間よりも短いときには（Ｓ７の「YES」）、第４の報知情報が生成され、出力部５２５からエレベータ制御装置２２に出力され、さらに監視装置６に送信される（Ｓ８）。第４の報知情報には、油の漏れ方が速いため、受け皿２１１ｄに溜まった油を早急に廃棄することを促すための情報が含まれる。ステップＳ７において、受け皿２１１ｄに油が溜まり始めてから所定量溜まるまでの時間が所定時間以上であると判断されたときには（Ｓ７の「NO」）、ステップＳ９に移行する。
【００２１】
その後、当該撮像情報の解析結果に基づいて、受け皿２１１ｄに溜まった油が廃棄されたか否かが油漏れ状態監視部５２３で監視される。そして、受け皿２１１ｄに溜まった油が廃棄されたと判断されると（Ｓ９の「YES」）、当該廃棄による廃棄油量の推定値が算出されて保存される。廃棄油量の推定値は、例えば、廃棄直前の撮像情報の解析結果に基づいて算出される。そして、既に保存された廃棄油量との累計値が算出され、当該累計値が所定値を超えたと判断されると、報知情報生成部５２４により第５の報知情報が生成され、出力部５２５からエレベータ制御装置２２に出力され、さらに監視装置６に送信される（Ｓ１２）。第５の報知情報には、油圧ポンプ２１１内の油の補充が必要であることを報知する情報が含まれる。
【００２２】
ステップＳ２、Ｓ４、Ｓ６、Ｓ８、およびＳ１２で出力された報知情報は監視装置６で表示または音声により出力され、保守員に報知される。ステップＳ１２で第５の報知情報が出力された後、または、ステップＳ１１で廃棄油量の累計値が所定値を超えていないと判断されたとき（Ｓ１１の「NO」）には、ステップＳ１に戻り、新たに油漏れの監視が行われる。
【００２３】
以上の実施形態によれば、油圧エレベータ内の油漏れの状況を詳細に把握して保守員に報知することができる。上述した実施形態において、油漏れ検出対象箇所を撮影するカメラ装置を複数台設置しておき、油漏れ検出装置が、当該複数台のカメラ装置で撮影された撮像情報を取得して解析することにより、当該油漏れ検出対象箇所の油漏れ状態を監視するようにしてもよい。例えば、上述した実施形態において用いた、油圧ポンプ本体２１１ａと回転軸２１１ｂとの接合部分を横から撮影するカメラ装置５１とは別に、当該箇所を斜め前方から撮影するカメラ装置を新たに設置し、これら２つのカメラ装置で撮影された撮像情報の解析結果を利用することで、さらに高い精度で油漏れ状態の監視を行うことができる。
【００２４】
また、上述した実施形態で用いたカメラ装置５１が、油圧ポンプ２１１内の回転軸２１１ｂを回転させるために用いるチェーン２１１ｅ（図３参照）を含めて撮影するように構成し、油漏れ検出装置５２が、カメラ装置５１で撮影された撮像情報のチェーン２１１ｅ部分の輝度情報の変化を監視することにより、当該チェーン２１１ｅの潤滑油が不足しているか否かをさらに判断するようにしてもよい。ここで、油漏れ検出装置５２は、当該チェーン２１１ｅの潤滑油が不足していると判断すると、第６の報知情報を出力する。
【００２５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２６】
１…油圧エレベータ、２…機械室、３…昇降路、４…油圧配管、５…油漏れ検出システム、６…監視装置、２１…油圧パワーユニット、２２…エレベータ制御装置、３１…油圧ジャッキ、５１…カメラ装置、５２…油漏れ検出装置、２１１…油圧ポンプ、２１１ａ…油圧ポンプ本体、２１１ｂ…回転軸、２１１ｃ…プーリー、２１１ｄ…受け皿、２１２…電動機、３１１…プランジャ、３１２…シリンダ、５２１…撮像情報取得部、５２２…画像解析部、５２３…油漏れ状態監視部、５２４…報知情報生成部、５２５…出力部
【図１】
2019156503.tif 000003
【図２】
2019156503.tif 000004
【図３】
2019156503.tif 000005
【図４】
2019156503.tif 000006
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
油圧エレベータ内の油漏れ検出対象箇所および前記油漏れ検出対象箇所の下位置に設置された受け皿内を撮影するカメラ装置と、
前記カメラ装置で撮影された撮像情報を解析することにより、前記油漏れ検出対象箇所の油漏れ状態を監視し、前記油漏れ検出対象箇所で油漏れが発生したと判断すると、第１の報知情報を出力し、
前記受け皿に油が溜まり始めたと判断すると、第２の報知情報を出力し、
前記受け皿に所定量の油が溜まったと判断すると、第３の報知情報を出力し、
前記受け皿に油が溜まり始めてから前記所定量が溜まるまでの時間が所定時間よりも短いと判断すると、第４の報知情報を出力する油漏れ検出装置と
を備えることを特徴とする油漏れ検出システム。
【請求項２】
油圧エレベータ内の油漏れ検出対象箇所および前記油漏れ検出対象箇所の下位置に設置された受け皿内を撮影するカメラ装置と、
前記カメラ装置で撮影された撮像情報を解析することにより、前記油漏れ検出対象箇所の油漏れ状態を監視し、前記油漏れ検出対象箇所で油漏れが発生したと判断すると、第１の報知情報を出力し、
前記受け皿に油が溜まり始めたと判断すると、第２の報知情報を出力し、
前記受け皿に溜まった油が廃棄されたと判断すると、廃棄直前の撮像情報の解析結果に基づいて当該廃棄による廃棄油量の推定値を算出して保存し、保存した廃棄油量の累計値が所定値を超えると、第５の報知情報を出力する油漏れ検出装置と
を備えることを特徴とする油漏れ検出システム。
【請求項３】
前記カメラ装置は複数台設置され、
前記油漏れ検出装置は、前記複数台のカメラ装置で撮影された撮像情報を解析することにより、前記油漏れ検出対象箇所の油漏れ状態を監視する
ことを特徴とする請求項１または２に記載の油漏れ検出システム。
【請求項４】
前記油漏れ検出対象箇所は、前記油圧エレベータを動作させるための圧力油を生成する油圧ポンプ内の回転軸と油圧ポンプ本体との接合部分である
ことを特徴とする請求項１〜３いずれか１項に記載の油漏れ検出システム。
【請求項５】
前記カメラ装置は、前記油圧エレベータを動作させるための圧力油を生成する油圧ポンプ内の回転軸を回転させるために用いるチェーンを含めて撮影し、
前記油漏れ検出装置は、前記カメラ装置で撮影された撮像情報の前記チェーン部分の輝度情報の変化を監視することにより、前記チェーンの潤滑油が不足していると判断すると、第６の報知情報を出力する
ことを特徴とする請求項１〜４いずれか１項に記載の油漏れ検出システム。
【手続補正２】
【補正対象書類名】明細書
【補正対象項目名】０００７
【補正方法】変更
【補正の内容】
【０００７】
上記目的を達成するための実施形態によれば油漏れ検出システムは、カメラ装置と、油漏れ検出装置とを備える。カメラ装置は、油圧エレベータ内の油漏れ検出対象箇所および油漏れ検出対象箇所の下位置に設置された受け皿内を撮影する。油漏れ検出装置は、カメラ装置で撮影された撮像情報を解析することにより、油漏れ検出対象箇所の油漏れ状態を監視し、当該油漏れ検出対象箇所で油漏れが発生したと判断すると、第１の報知情報を出力し、受け皿に油が溜まり始めたと判断すると、第２の報知情報を出力し、受け皿に所定量の油が溜まったと判断すると、第３の報知情報を出力し、受け皿に油が溜まり始めてから所定量が溜まるまでの時間が所定時間よりも短いと判断すると、第４の報知情報を出力する。